【手続補正書】
【提出日】平成20年2月20日(2008.2.20)
【手続補正１】
【補正対象書類名】明細書
【補正対象項目名】特許請求の範囲
【補正方法】変更
【補正の内容】
【特許請求の範囲】
【請求項１】  用紙の表面に印刷する表面用イメージを発生する第１のイメージ発生手段と、
前記用紙の裏面に印刷するイメージの種類内容を示す識別用イメージを発生する第２のイメージ発生手段と、
前記第１のイメージ発生手段および前記第２のイメージ発生手段によりそれぞれ発生された表面用イメージおよび識別用イメージを該用紙の表面に印刷する第１の印刷手段と
を具えたことを特徴とするカード作成装置。
【請求項２】  請求項１に記載のカード作成装置において、前記識別用イメージはバーコードの形態であることを特徴とするカード作成装置。
【請求項３】  請求項１または請求項２に記載のカード作成装置において、前記第１のイメージ発生手段は、印刷すべき前記表面イメージを編集可能であることを特徴とするカード作成装置。
【請求項４】  用紙の表面に印刷された識別用イメージであって、該用紙の裏面に印刷する裏面用イメージの種類内容を示す識別用イメージを読み取るイメージ読み取り手段と、
当該読み取られた識別用イメージの示す種類内容の裏面用イメージを発生する第３のイメージ発生手段と、
当該発生された裏面用イメージを前記用紙の裏面に印刷する第２の印刷手段と
を備えたこと特徴とするカード作成装置。
【請求項５】  請求項４に記載のカード作成装置において、前記用紙の裏面に印刷するイメージに関連付けて、前記識別用イメージの示す種類内容を示す識別情報を設定する設定手段と、前記イメージ読み取り手段により読み取られた識別用イメージの示す識別する識別手段と、該識別手段の識別結果と前記設定手段により設定された識別情報とを前記用紙の裏面へのイメージの印刷に先立って照合する照合手段とをさらに具えたことを特徴とするカード作成装置。
【請求項６】  請求項５に記載のカード作成装置において、前記照合手段の照合結果が一致の場合に、前記第２の印刷手段が前記裏面用イメージを印刷することを特徴とするカード作成装置。
【請求項７】  請求項４〜請求項６のいずれかに記載のカード作成装置において、前記識別用イメージはバーコードの形態であることを特徴とするカード作成装置。
【請求項８】  請求項４〜請求項７のいずれかに記載のカード作成装置において、前記第３のイメージ発生手段は、印刷すべき前記裏面イメージを編集可能であることを特徴とするカード作成装置。
【請求項９】  用紙の表面に印刷する表面用イメージを発生する第１のイメージ発生手段と、
該用紙の裏面に印刷するイメージの種類内容を示す識別用イメージを発生する第２のイメージ発生手段と、
前記第１のイメージ発生手段および前記第２のイメージ発生手段によりそれぞれ発生された表面用イメージおよび識別用イメージを該用紙の表面に印刷する第１の印刷手段と、
前記用紙に印刷された識別用イメージを読み取るイメージ読み取り手段と、当該読み取られた識別用イメージの示す種類内容の裏面用イメージを発生する第３のイメージ発生手段と、
当該発生された裏面用イメージを前記用紙の裏面に印刷する第２の印刷手段と
を具えたことを特徴とするカード作成装置。
【請求項１０】  請求項９に記載のカード作成装置において、前記用紙の表面に印刷する表面用イメージに関連付けて、前記識別用イメージの示す種類内容を示す識別情報を設定する設定手段をさらに有し、該識別情報に基づいて前記識別用イメージ発生手段は識別用イメージを発生することを特徴とするカード作成装置。
【請求項１１】  請求項１０に記載のカード作成装置において、前記識別情報は、前記用紙の裏面に印刷するイメージに対しても関連付けてられており、前記イメージ読み取り手段により読み取られた識別用イメージの示す識別する識別手段と、該識別手段の識別結果と前記設定手段により設定された識別情報とを前記用紙の裏面へのイメージの印刷に先立って照合する照合手段とをさらに具えたことを特徴とするカード作成装置。
【請求項１２】  請求項１１に記載のカード作成装置において、前記照合手段の照合結果が一致の場合に、前記第２の印刷手段が前記裏面用イメージを印刷することを特徴とするカード作成装置。
【請求項１３】  請求項９〜請求項１２のいずれかに記載のカード作成装置において、前記識別用イメージはバーコードの形態であることを特徴とするカード作成装置。
【請求項１４】  請求項９〜請求項１３のいずれかに記載のカード作成装置において、前記第１のイメージ発生手段は、印刷すべき前記表面イメージを編集可能であり、前記第３のイメージ発生手段は、印刷すべき前記裏面イメージを編集可能であることを特徴とするカード作成装置。
【請求項１５】  カード作成装置により作成したイメージを用紙に印刷するカード作成方法において、
前記用紙の表面に印刷する表面用イメージを発生する第１のイメージ発生ステップと、
前記用紙の裏面に印刷するイメージの種類内容を示す識別用イメージを発生する第２のイメージ発生ステップと、
前記第１のイメージ発生ステップおよび前記第２のイメージ発生ステップによりそれぞれ発生された表面用イメージおよび識別用イメージを該用紙の表面に印刷する第１の印刷ステップと
を具えたことを特徴とするカード作成方法。
【請求項１６】  カード作成装置により作成したイメージを印刷するカード作成方法において、用紙の表面に印刷する表面用イメージを発生する第１のイメージ発生ステップと、
該用紙の裏面に印刷するイメージの種類内容を示す識別用イメージを発生する第２のイメージ発生ステップと、
前記第１のイメージ発生ステップおよび前記第２のイメージ発生ステップによりそれぞれ発生された表面用イメージおよび識別用イメージを該用紙の表面に印刷する第１の印刷ステップと、
前記用紙に印刷された識別用イメージを読み取るイメージ読み取りステップと、
当該読み取られた識別用イメージの示す種類内容の裏面用イメージを発生する第３のイメージ発生ステップと、
当該発生された裏面用イメージを前記用紙の裏面に印刷する第２の印刷ステップと
を具えたことを特徴とするカード作成方法。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
請求項２の発明は、請求項１に記載のカード作成装置において、前記識別用イメージはバーコードの形態であることを特徴とする。
【手続補正４】
【補正対象書類名】明細書
【補正対象項目名】０００９
【補正方法】変更
【補正の内容】
【０００９】
請求項３の発明は、請求項１または請求項２に記載のカード作成装置において、前記第１のイメージ発生手段は、印刷すべき前記表面イメージを編集可能であることを特徴とする。
【手続補正５】
【補正対象書類名】明細書
【補正対象項目名】００１０
【補正方法】変更
【補正の内容】
【００１０】
請求項４の発明は、用紙の表面に印刷された識別用イメージであって、該用紙の裏面に印刷する裏面用イメージの種類内容を示す識別用イメージを読み取るイメージ読み取り手段と、当該読み取られた識別用イメージの示す種類内容の裏面用イメージを発生する第３のイメージ発生手段と、当該発生された裏面用イメージを前記用紙の裏面に印刷する第２の印刷手段とを備えたこと特徴とする。
【手続補正６】
【補正対象書類名】明細書
【補正対象項目名】００１１
【補正方法】変更
【補正の内容】
【００１１】
請求項５の発明は、請求項４に記載のカード作成装置において、前記用紙の裏面に印刷するイメージに関連付けて、前記識別用イメージの示す種類内容を示す識別情報を設定する設定手段と、前記イメージ読み取り手段により読み取られた識別用イメージの示す識別する識別手段と、該識別手段の識別結果と前記設定手段により設定された識別情報とを前記用紙の裏面へのイメージの印刷に先立って照合する照合手段とをさらに具えたことを特徴とする。
【手続補正７】
【補正対象書類名】明細書
【補正対象項目名】００１２
【補正方法】変更
【補正の内容】
【００１２】
請求項６の発明は、請求項５に記載のカード作成装置において、前記照合手段の照合結果が一致の場合に、前記第２の印刷手段が前記裏面用イメージを印刷することを特徴とする。
【手続補正８】
【補正対象書類名】明細書
【補正対象項目名】００１３
【補正方法】変更
【補正の内容】
【００１３】
請求項７の発明は、請求項４〜請求項６のいずれかに記載のカード作成装置において、前記識別用イメージはバーコードの形態であることを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
請求項８の発明は、請求項４〜請求項７のいずれかに記載のカード作成装置において、前記第３のイメージ発生手段は、印刷すべき前記裏面イメージを編集可能であることを特徴とする。
【手続補正１１】
【補正対象書類名】明細書
【補正対象項目名】００１６
【補正方法】変更
【補正の内容】
【００１６】
請求項９の発明は、用紙の表面に印刷する表面用イメージを発生する第１のイメージ発生手段と、該用紙の裏面に印刷するイメージの種類内容を示す識別用イメージを発生する第２のイメージ発生手段と、前記第１のイメージ発生手段および前記第２のイメージ発生手段によりそれぞれ発生された表面用イメージおよび識別用イメージを該用紙の表面に印刷する第１の印刷手段と、前記用紙に印刷された識別用イメージを読み取るイメージ読み取り手段と、当該読み取られた識別用イメージの示す種類内容の裏面用イメージを発生する第３のイメージ発生手段と、当該発生された裏面用イメージを前記用紙の裏面に印刷する第２の印刷手段とを具えたことを特徴とする。
【手続補正１２】
【補正対象書類名】明細書
【補正対象項目名】００１７
【補正方法】変更
【補正の内容】
【００１７】
請求項１０の発明は、請求項９に記載のカード作成装置において、前記用紙の表面に印刷する表面用イメージに関連付けて、前記識別用イメージの示す種類内容を示す識別情報を設定する設定手段をさらに有し、該識別情報に基づいて前記識別用イメージ発生手段は識別用イメージを発生することを特徴とする。
【手続補正１３】
【補正対象書類名】明細書
【補正対象項目名】００１８
【補正方法】変更
【補正の内容】
【００１８】
請求項１１の発明は、請求項１０に記載のカード作成装置において、前記識別情報は、前記用紙の裏面に印刷するイメージに対しても関連付けてられており、前記イメージ読み取り手段により読み取られた識別用イメージの示す識別する識別手段と、該識別手段の識別結果と前記設定手段により設定された識別情報とを前記用紙の裏面へのイメージの印刷に先立って照合する照合手段とをさらに具えたことを特徴とする。
【手続補正１４】
【補正対象書類名】明細書
【補正対象項目名】００１９
【補正方法】変更
【補正の内容】
【００１９】
請求項１２の発明は、請求項１１に記載のカード作成装置において、前記照合手段の照合結果が一致の場合に、前記第２の印刷手段が前記裏面用イメージを印刷することを特徴とする。
【手続補正１５】
【補正対象書類名】明細書
【補正対象項目名】００２０
【補正方法】変更
【補正の内容】
【００２０】
請求項１３の発明は、請求項９〜請求項１２のいずれかに記載のカード作成装置において、前記識別用イメージはバーコードの形態であることを特徴とする。
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
請求項１４の発明は、請求項９〜請求項１３のいずれかに記載のカード作成装置において、前記第１のイメージ発生手段は、印刷すべき前記表面イメージを編集可能であり、前記第３のイメージ発生手段は、印刷すべき前記裏面イメージを編集可能であることを特徴とする。
【手続補正１８】
【補正対象書類名】明細書
【補正対象項目名】００２３
【補正方法】変更
【補正の内容】
【００２３】
請求項１５の発明は、カード作成装置により作成したイメージを用紙に印刷するカード作成方法において、前記用紙の表面に印刷する表面用イメージを発生する第１のイメージ発生ステップと、前記用紙の裏面に印刷するイメージの種類内容を示す識別用イメージを発生する第２のイメージ発生ステップと、前記第１のイメージ発生ステップおよび前記第２のイメージ発生ステップによりそれぞれ発生された表面用イメージおよび識別用イメージを該用紙の表面に印刷する第１の印刷ステップとを具えたことを特徴とする。
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】変更
【補正の内容】
【００３３】
請求項１６の発明は、カード作成装置により作成したイメージを印刷するカード作成方法において、用紙の表面に印刷する表面用イメージを発生する第１のイメージ発生ステップと、該用紙の裏面に印刷するイメージの種類内容を示す識別用イメージを発生する第２のイメージ発生ステップと、前記第１のイメージ発生ステップおよび前記第２のイメージ発生ステップによりそれぞれ発生された表面用イメージおよび識別用イメージを該用紙の表面に印刷する第１の印刷ステップと、前記用紙に印刷された識別用イメージを読み取るイメージ読み取りステップと、当該読み取られた識別用イメージの示す種類内容の裏面用イメージを発生する第３のイメージ発生ステップと、当該発生された裏面用イメージを前記用紙の裏面に印刷する第２の印刷ステップとを具えたことを特徴とする。
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００３６
【補正方法】削除
【補正の内容】
【手続補正３２】
【補正対象書類名】明細書
【補正対象項目名】００３７
【補正方法】削除
【補正の内容】
【手続補正３３】
【補正対象書類名】明細書
【補正対象項目名】００３８
【補正方法】削除
【補正の内容】
【手続補正３４】
【補正対象書類名】明細書
【補正対象項目名】００３９
【補正方法】削除
【補正の内容】
【手続補正３５】
【補正対象書類名】明細書
【補正対象項目名】００５２
【補正方法】変更
【補正の内容】
【００５２】
図５は住所録のデータベースの内容を示す。住所録のデータベースの内容は、周知の表計算ソフトあるいは、葉書印刷用ソフトやカード作成ソフトに付随したソフトにより作成、編集（設定）可能である。たとえば、郵便番号５００、住所５０１、氏名５０２などを可変しながら、図６に示すカードの表面を連続印刷することができる。より具体的には、データベースに記載された個人情報に基づいて印刷すべき文字イメージがＯＳ（オペレーティングシステム）により発生される。また、項目、裏面タイプ５０３は、各表面に対応する図７、図８、図９の裏面デザイン（裏面に印刷するイメージ）の種類内容を番号（本発明の識別情報）により管理したもので、表裏一致パターン５０４（本発明の識別用イメージ）に対応する。つまり、ホストコンピュータは、データベースの裏面タイプ５０３から表裏一致パターン５０４を自動発生し、図５の個人情報のイメージ（郵便番号、住所、氏名等の文字イメージ）の表面デザインに付加して印刷させる。
【手続補正３６】
【補正対象書類名】明細書
【補正対象項目名】００６２
【補正方法】変更
【補正の内容】
【００６２】
２）上述の実施形態では、１台のプリンタにより表面印刷および裏面印刷を行ったが，表面の印刷と裏面の印刷を２台のプリンタにより別個に行ってもよい。また、ホストコンピュータも表面用および裏面ように２台用意してもよい。
【手続補正３７】
【補正対象書類名】明細書
【補正対象項目名】００６４
【補正方法】変更
【補正の内容】
【００６４】
４）上述の実施形態では住所録に記載された個人情報を表面の用紙に印刷したが、住所録に限ることはない、表面に印刷するイメージは、写真、図形、文字コードから変換したイメージ、作画コマンドにより作成したイメージなど各種とすることができる。また、本発明で言うカードの概念の中には、葉書等あらゆる文書の形態のものを含む。
【手続補正３８】
【補正対象書類名】明細書
【補正対象項目名】００６５
【補正方法】変更
【補正の内容】
【００６５】
【発明の効果】
以上説明したように、請求項１〜１６の発明によれば、裏面に印刷すべきイメージの種類内容を示す識別用イメージが印刷されるので、この識別用イメージの示す種類内容に基づいて裏面用イメージを印刷することにより、表面印刷済み用紙の順番を間違えても裏面用イメージを確実に印刷することができる。